(57)【要約】【課題】同軸ケーブルの内導体と有効に機械的及び電気的に接続する同軸ケーブルのコネクタを提供する。【解決手段】同軸ケーブルのコネクタ１０は、ベース部１２及びベース部１２の両側縁部から上向きに延設される１対の弾性挟持片１４を有する接続端子１１と、接続端子１１のベース部１２を支持するための絶縁本体２１と、絶縁本体２１の側部から上向きに延伸する絶縁折り曲げ部２２と、絶縁折り曲げ部２２の両側縁部に形成され弾性挟持片１４に対応する１対の凸部とを有する絶縁部材と、絶縁部材の絶縁本体を支持するための金属カバーと、を備える。絶縁折り曲げ部が下向きに折り曲げられた後、凸部が弾性挟持片を押圧し内向きに移動させ、同軸ケーブルの内導体を挟持し、接続端子の弾性挟持片及び同軸ケーブルの内導体を電気的に接続させる【選択図】図２
0003165908.tif 000002
【実用新案登録請求の範囲】
【請求項１】
ベース部及び前記ベース部の両側縁部から上向きに延設される１対の弾性挟持片を有する接続端子と、
前記接続端子の前記ベース部を支持するための絶縁本体と、前記絶縁本体の側部から上向きに延伸する絶縁折り曲げ部と、前記絶縁折り曲げ部の両側縁部に形成され前記弾性挟持片に対応する１対の凸部とを有する絶縁部材と、
前記絶縁部材の前記絶縁本体を支持するための金属カバーと、を備え、
前記絶縁折り曲げ部が下向きに折り曲げられた後、前記凸部が前記弾性挟持片を押圧し内向きに移動させ、同軸ケーブルの内導体を挟持し、前記接続端子の前記弾性挟持片及び前記同軸ケーブルの前記内導体を電気的に接続させることを特徴とする同軸ケーブルのコネクタ。
【請求項２】
前記弾性挟持片は、前端部、後端部及び前記前端部と前記後端部との間に位置する傾斜接続部を有し、
前記弾性挟持片の前記前端部の間の距離は前記後端部の間の距離より大きいことを特徴とする請求項１記載の同軸ケーブルのコネクタ。
【請求項３】
前記絶縁部材の前記凸部の底端は斜面であり、前記凸部が下向きに押圧され前記斜面の前記弾性挟持片の前記前端部を押圧し内向きに移動させることを特徴とする請求項２記載の同軸ケーブルのコネクタ。
【考案の詳細な説明】
【技術分野】
【０００１】
本考案は、同軸ケーブルのコネクタに関し、特に、接続端子と同軸ケーブルの内導体との接続を保証することにより、電気信号を伝達する同軸ケーブルのコネクタに関する。
【背景技術】
【０００２】
多くの同軸ケーブルが、ノートパソコンや家庭用電器のような小型の電子設備といったＩＴ設備の内部の接続回線に使用されており、こうした同軸ケーブルは通常電気を他のケーブルの各々の導体や基板に接続している。
【０００３】
同軸ケーブルは、別のケーブルの導体に電気的に接続するために、従来、同軸ケーブルの内導体は、１つ１つ他のそれぞれ対応する導体にはんだ付けされていた。これによって、同軸ケーブルの内導体は、他のケーブルの導体に電気的に接続される。
【０００４】
しかし、こうした電気の接続方法だと、はんだ付けの過程で接続ミスが続出し、また同軸ケーブルの内導体と他のケーブルの導体との間での電気接続が精確に行えない問題があった。
【０００５】
このほか、はんだ付けの工程が複雑で、この接続工程にある程度時間が掛かり、またロスが大きいために接続工程が失敗するという問題がある。
【０００６】
こうした問題を克服するために、従来から同軸ケーブルのコネクタは、同軸ケーブルの内導体と他のケーブルの導体との電気接続装置が開示されている。
【０００７】
特許文献１は、同軸ケーブルの内導体に接続できる接続端子と、絶縁体でこの接続端子を支持するための金属ケースとを含む同軸ケーブルのコネクタが開示されている。接続端子は、ケースと絶縁体とがそれぞれ折り曲げる力によって折り曲げられ、接続端子の１対の接触片を同軸ケーブルの内導体に固持させて、同軸ケーブルの内導体と接続端子間とを電気的に接続している。
【先行技術文献】
【特許文献】
【０００８】
【特許文献１】米国特許第６，７９０，０８２号明細書
【考案の概要】
【考案が解決しようとする課題】
【０００９】
同軸ケーブルの内導体は、１対の接触片の上下で挟持することにより電気的に接続させるが、こうした挟持方法は堅固でない。そのため、接触片および内導体間の電気接続を長期的に保証できず、これが接触不良現象を引き起こして、信号伝達の質に影響を及ぼす。
本考案の目的は、同軸ケーブルの内導体と有効に機械的及び電気的に接続する同軸ケーブルのコネクタを提供することにある。
【課題を解決するための手段】
【００１０】
すなわち、本発明の同軸ケーブルのコネクタは、ベース部及び前記ベース部の両側縁部から上向きに延設される１対の弾性挟持片を有する接続端子と、前記接続端子の前記ベース部を支持するための絶縁本体と、前記絶縁本体の側部から上向きに延伸する絶縁折り曲げ部と、前記絶縁折り曲げ部の両側縁部に形成され前記弾性挟持片に対応する１対の凸部とを有する絶縁部材と、前記絶縁部材の前記絶縁本体を支持するための金属カバーと、を備え、前記絶縁折り曲げ部が下向きに折り曲げられた後、前記凸部が前記弾性挟持片を押圧し内向きに移動させ、同軸ケーブルの内導体を挟持し、前記接続端子の前記弾性挟持片及び前記同軸ケーブルの前記内導体を電気的に接続させるようにしたものとしている。
【００１１】
また、本発明の同軸ケーブルのコネクタは、前記弾性挟持片は、前端部、後端部及び前記前端部と前記後端部との間に位置する傾斜接続部を有し、前記弾性挟持片の前記前端部の間の距離は前記後端部の間の距離より大きいものとしている。
【００１２】
さらに、本発明の同軸ケーブルのコネクタは、前記絶縁部材の前記凸部の底端は斜面であり、前記凸部が下向きに押圧され前記斜面の前記弾性挟持片の前記前端部を押圧し内向きに移動させるものとしている。
【考案の効果】
【００１３】
本考案の同軸ケーブルのコネクタは、同軸ケーブルの内導体と有効に機械的及び電気的に接続することができる。
【図面の簡単な説明】
【００１４】
【図１】本考案の一実施形態による同軸ケーブルのコネクタを示す斜視図である。
【図２】本考案の一実施形態による同軸ケーブルのコネクタを示す分解斜視図である。
【図３】本考案の一実施形態による同軸ケーブルのコネクタの接続端子を示す平面図である。
【図４】本考案の一実施形態による同軸ケーブルのコネクタの接続端子を示す正面図である。
【図５Ａ】本考案の一実施形態による同軸ケーブルのコネクタの同軸ケーブルを同軸ケーブルのコネクタに装着するときの手順を示す模式図である。
【図５Ｂ】本考案の一実施形態による同軸ケーブルのコネクタの同軸ケーブルを同軸ケーブルのコネクタに装着するときの手順を示す模式図である。
【図５Ｃ】本考案の一実施形態による同軸ケーブルのコネクタの同軸ケーブルを同軸ケーブルのコネクタに装着するときの手順を示す模式図である。
【図５Ｄ】本考案の一実施形態による同軸ケーブルのコネクタの同軸ケーブルを同軸ケーブルのコネクタに装着するときの手順を示す模式図である。
【図６】図５Ｄの線６−６に沿った断面図である。
【考案を実施するための形態】
【００１５】
以下に、本発明の同軸ケーブルのコネクタを、図面に示す一実施形態に基づきこれを詳細に説明する。
図１及び図２を参照する。図１及び図２に示すように、本考案の一実施形態による同軸ケーブルのコネクタ１０は、接続端子１１、絶縁部材２０及びカバー３０を有する。
【００１６】
図３及び図４を参照する。図３及び図４に示すように、本考案の一実施形態による同軸ケーブルのコネクタの接続端子１１は、ベース部１２と、ベース部１２の両側縁部から下向きに延設される１対の接合部材１３と、ベース部１２の両側縁部から上向きに延設される１対の弾性挟持片１４とを有する。弾性挟持片１４は、前端部１５と、後端部１６と、前端部１５と後端部１６との間に位置する傾斜接続部１７とを有する。傾斜接続部１７は、前端部１５の終端から内向きに傾斜し後端部１６の終端に接続することで、２つの前端部１５の間の距離Ｄ１が２つの後端部１６の間の距離Ｄ２より大きくなるため、前が広く後ろが狭い形状をなす。
【００１７】
絶縁部材２０は、接続端子１１とカバー３０との間に配置され、接続端子１１のベース部１２を支持するための絶縁本体２１を有する。絶縁折り曲げ部２２は、絶縁本体２１の側部から上向きに延伸し、絶縁本体２１の方向に折り曲げられる。１対の凸部２３は絶縁折り曲げ部２２の両側縁部に形成され、接合部材１３に対応する。凸部２３の底端は、斜面２３１である。
【００１８】
カバー３０は、絶縁部材２０の絶縁本体２１を支持するためのカバー本体３１を有する。カバー折り曲げ部３２及び絶縁部材２０の絶縁折り曲げ部２２は並列し、共に折り曲げられる。第１の接合部３３ａは、カバー折り曲げ部３２の両側部に形成される。
【００１９】
第２の接合部３３ｂ及び第３の接合部３３ｃは、カバー折り曲げ部３２の両側部に形成される。
【００２０】
図５Ａ〜図５Ｄを参照する。図５Ａ〜図５Ｄに示すように、同軸ケーブルのコネクタ１０に同軸ケーブル４０を装着する手順において、同軸ケーブル４０の自由端の一部の外皮４１が取り除かれると、外導体４２、絶縁体４３及び内導体４４が露出される。図５Ａに示すように、第１の手順では、同軸ケーブルのコネクタ１０の接続端子１１の中に同軸ケーブル４０が挿入される。図５Ｂに示すように、同軸ケーブル４０の内導体４４は、接続端子１１の２つの弾性挟持片１４の間に位置する。
【００２１】
矢印“Ａ”の方向に付勢すると、カバー３０のカバー折り曲げ部３２及び絶縁部材２０の絶縁折り曲げ部２２は、折り曲げられる。折り曲げられるとき、絶縁折り曲げ部２２の下への圧力により、凸部２３の斜面２３１は、弾性挟持片１４の前端部１５を押圧し内側に移動させ（図５Ｃに示す）、同軸ケーブル４０の内導体４４を挟持する。図５Ｄ及び図６に示すように、接続端子１１の弾性挟持片１４及び同軸ケーブル４０の内導体４４は、機械的及び電気的に接続し、確実に電気接続を行う。
【００２２】
カバー折り曲げ部３２は、第１の接合部３３ａにより、カバー本体３１としっかりと接続される。カバー折り曲げ部３２は、第２の接合部３３ｂで同軸ケーブル４０の外導体４２を被覆し、第３の接合部３３ｃで同軸ケーブル４０の外皮４１を被覆する。このように、同軸ケーブルのコネクタ１０は、同軸ケーブル４０の自由端にきつく接合される。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１０  同軸ケーブルのコネクタ
１１  接続端子
１２  ベース部
１３  接合部材
１４  弾性挟持片
１５  前端部
１６  後端部
１７  傾斜接続部
２０  絶縁部材
２１  絶縁本体
２２  絶縁折り曲げ部
２３  凸部
３０  カバー
３１  カバー本体
３２  カバー折り曲げ部
３３ａ  第１の接合部
３３ｂ  第２の接合部
３３ｃ  第３の接合部
４０  同軸ケーブル
４１  外皮
４２  外導体
４３  絶縁体
４４  内導体
２３１  斜面
【図１】
0003165908.tif 000003
【図２】
0003165908.tif 000004
【図３】
0003165908.tif 000005
【図４】
0003165908.tif 000006
【図５Ａ】
0003165908.tif 000007
【図５Ｂ】
0003165908.tif 000008
【図５Ｃ】
0003165908.tif 000009
【図５Ｄ】
0003165908.tif 000010
【図６】
0003165908.tif 000011